(57)【要約】      （修正有）【課題】止水パネルを方立ての一面よりストレートに差込み支持することで持ち上げる所作を無くし、この差込み操作で、取付作業が完了する止水パネルの取付け装置を提供する。【解決手段】出入口、又は開口部に立設された方立て６に止水パネル１を支持する止水パネル１の取付け装置で、止水パネル１に設けた係止体３、係止爪４、５を、方立て６の対峙面に設けた被係止体７、係止孔８、９に係止、又は差込み支持し、簡易かつ速やかに取付け、又は取外し可能とする。【選択図】図１
2020084566.tif 000002
【特許請求の範囲】
【請求項１】
建物、構造物、構築物の何れかの出入口、又は水路、通路の何れかの開口部に立設された対の方立てと、この方立て間に止水パネルを支持する止水パネルの取付け装置であって、
前記止水パネルには、前記方立てと対峙する対峙面に、ラッチ、突起の何れかでなる係止突部、及び係止爪でなる係止体を備えており、
前記方立てには、前記止水パネルと対峙する対峙面に、前記係止体が、係止、又は差込み支持されるロックラッチ、挟持片の何れかでなる被係止体、又は係止孔でなる係止体受けを備えており、
前記止水パネルの前記係止体を、前記方立ての前記係止体受けに差込み支持することで、簡易かつ速やかに取付け可能とする構成とした止水パネルの取付け装置。
【請求項２】
前記止水パネルの、上段に設けた前記ラッチの先端と、中断と下段にそれぞれ設けた前記係止爪の爪片を、前記止水パネルの前記対峙面より突出する構成とした請求項１に記載の止水パネルの取付け装置。
【請求項３】
前記係止爪本体には、ブラケットを設け、このブラケットを、止水パネルに取付ける構成とした請求項１に記載の止水パネルの取付け装置。
【請求項４】
前記ブラケットは、少なくとも、二枚構造であって、その一枚は、前記係止爪本体の前側に、他の一枚は、この係止爪本体の後側とする構成とした請求項３に記載の止水パネルの取付け装置。
【請求項５】
前記止水パネルは、前後板の二枚の止水パネル材であって、この二枚の止水パネル材を前記ブラケットに取付ける構成とした請求項４に記載の止水パネルの取付け装置。
【請求項６】
前記止水パネルの下面には、スポンジゴム、又は弾性体の何れかでなるパッキン材を付設する構成とし、この止水パネルを前記方立てに差し込む際にこのパッキン材を圧縮し、差込み後に、このパッキン材が復帰し、前記係止突部と、前記被係止体の係止維持を可能とする請求項１に記載の止水パネルの取付け装置。
【請求項７】
前記方立てには、カバーを設け、このカバーで、前記係止体受けを塞ぐ構成とした請求項１に記載の止水パネルの取付け装置。
【発明の詳細な説明】
【技術分野】
【０００１】
本発明は、建物、構造物、構築物の何れかの出入口、又は水路、トンネルの何れかの開口部に立設される止水パネル（止水扉）の取付け装置に関する。
【背景技術】
【０００２】
この止水パネルは、人の往来、物の取扱い等における出入口、又は水、海水の流れ、物流の流れ等の開口部に取付けられる。この取付け方法として、方立てに設けた溝に、差込み支持する差込み式（落込み式）と、方立てに、水圧方向より圧接する取付け式がある。
【０００３】
（１）  差込み式としては、例えば、特開２０１６−１９１２３６号公報に記載の発明では、方立てに、上方より落とし込む構造であり、かつ落込みと同時にラッチ機構が働くことを特徴とする。従って、止水パネルを、上方に高く（方立ての上の高さ）に持ち上げる所作が必要となり、厄介である。緊急時に困ることが考えられる。
【０００４】
（２）  取付け式としては、例えば、特開２００６−２１４１７８号公報に記載の発明がある。この発明は、パッキンとフックを備えた止水パネルを、方立ての一面（水圧方向対峙の面）に当接することと、フックを、方立てのピンに係止する構造が記載されている。しかし、フックをピンに係止する所作が必要となり、取付け時に、余分の手間が掛かる。従って、緊急時に、余分の手間が掛かることは問題であり、改良の余地がある。また、特開２００５−６８９６４号公報に記載の発明がある。この発明は、方立て（枠）間の開口部に、止水板を、止水側（水圧側）から取付ける構造であり、長い止水板押圧具を差込み螺着する構造である。従って、止水板を押付けながら締め込む所作を必要とし、厄介である。
【０００５】
【特許文献１】特開２０１６−１９１２３６号公報
【特許文献２】特開２００６−２１４１７８号公報
【特許文献３】特開２００５−６８９６４号公報
【発明の概要】
【発明が解決しようとする課題】
【０００６】
前述した文献（１）〜（３）においては、従前の止水パネルより改良されており、取付けの方法が進歩している。しかしながら、前述した如く、緊急時等において、止水パネルが必要な際に、止水パネルを持ち上げる所作、及び／又は、ロック操作等が必要となり、厄介であること、又は余分の手間がかかる恐れがあること、等の課題の改良が要望される。
【課題を解決するための手段】
【０００７】
前記止水パネルを、方立ての一面よりストレートに差込み支持することで、持ち上げる所作を無くすこと、又はこの差込み操作で、原則として、その他の所作をすることなく、取付作業が完了する取付け装置を提案する。
【０００８】
その好ましい、一例が、請求項１−７である。
【発明の効果】
【０００９】
請求項１の発明では、建物、構造物、構築物の何れかの出入口、又は水路、通路の何れかの開口部に立設された対の方立てと、この方立て間に止水パネルを支持する止水パネルの取付け装置であって、
止水パネルには、方立てと対峙する対峙面に、ラッチ、突起の何れかでなる係止突部、及び係止爪でなる係止体を備えており、
方立てには、止水パネルと対峙する対峙面に、係止体が、係止、又は差込み支持されるロックラッチ、挟持片の何れかでなる被係止体、又は係止孔でなる係止体受けを備えており、
止水パネルの係止体を、方立ての係止体受けに差込み支持することで、簡易かつ速やかに取付け可能とする構成とした止水パネルの取付け装置を提案する。
【００１０】
これにより、請求項１では、止水パネルを、方立ての一面よりストレートに差込み支持することで、持ち上げる所作を無くすこと、又はこの差込み操作で、原則として、その他の所作をすることなく、取付け作業が完了する取付け装置を提案する。
【００１１】
請求項２の発明では、止水パネルの、上段に設けたラッチの先端と、中断と下段にそれぞれ設けた係止爪の爪片を、止水パネルの対峙面より突出する構成とした止水パネルの取付け装置を提案する。
【００１２】
これにより、請求項２では、請求項１の特徴を達成できる。また、この特徴を達成できる止水パネルの構造を提供できる。
【００１３】
請求項３の発明では、係止爪本体には、ブラケットを設け、このブラケットを、止水パネルに取付ける構成とした止水パネルの取付け装置を提案する。
【００１４】
これにより、請求項３では、請求項１の特徴を達成できる。また、この特徴を達成できる係止爪の構造を提供できる。
【００１５】
請求項４の発明は、ブラケットは、少なくとも、二枚構造であって、その一枚は、係止爪本体の前側に、他の一枚は、係止爪本体の後側とする構成とした止水パネルの取付け装置を提案する。
【００１６】
これにより、請求項４では、請求項１の特徴を達成できる。また、この特徴を達成できるブラケット、及び係止爪の構造を提供できる。
【００１７】
請求項５の発明では、止水パネルは、前後板の二枚の止水パネル材であって、この二枚の止水パネル材をブラケットに取付ける構成とした止水パネルの取付け装置を提供する。
【００１８】
これにより、請求項５では、請求項１の特徴を達成できる。また、この特徴を達成できる止水パネル材、及びブラケットの構造を提供できる。
【００１９】
請求項６の発明では、止水パネルの下面には、スポンジゴム、又は弾性体の何れかでなるパッキン材を付設する構成とし、止水パネルを方立てに差し込む際にパッキン材を圧縮し、差込み後に、パッキン材が復帰し、係止突部と、被係止体の係止維持を可能とする止水パネルの取付け装置を提供する。
【００２０】
これにより、請求項６では、請求項１の特徴を達成できる。また、止水パネル材の差込み時に最適な止水パネルの取付け装置を提供できる。
【００２１】
請求項７の発明では、方立てには、カバーを設け、このカバーで、係止体受けを塞ぐ構成としたパネルの取付け装置か提供する。
【００２２】
これにより、請求項７では、請求項１の特徴を達成できる。また、最適な、方立ての構造を備えた止水パネル材の取付け機構を提供できる。
【図面の簡単な説明】
【００２３】
【図１】本発明の一実施例を示した要部の俯瞰図
【図２】図１の分解斜視図
【図３−１】方立てをカバーで閉塞（隠蔽）した状態を示した俯瞰図
【図３−２】図３−１において、カバーを開放した状態を示した俯瞰図
【図４−１】金物に溶接固定した一例の方立てと、一例の止水パネルとの関係を示した模式図で、（イ）は平面図、（ロ）は要部の断面図
【図４−２】壁面に埋込み固定した方立てと、一例の止水パネルとの関係を示した模式図で、（イ）は平面図、（ロ）は要部の断面図
【図４−３】壁面に止め具で固定した方立てと、一例の止水パネルとの関係を示した模式図で、（イ）は平面図、（ロ）は要部の断面図
【図５−１】止水パネルと方立てとの関係を示した一部欠截の縮尺平面図
【図５−２】図５−１の正面図
【図５−３】図５−２のＡ−Ａ断面図で、（イ）はカバーの開放時、（ロ）は一部欠截のカバーの閉塞時
【図５−４】図５−２のＢ−Ｂ断面図で、カバーの開放時
【図５−５】図５−２のＣ−Ｃ断面図で、カバーの開放時
【図５−６】図５−２のＤ−Ｄ断面図で、（イ）は方立てが、カバーで閉塞されている準備状態、（ロ）はカバーを開放し、方立てに止水パネルを取付けた状態と、その要部の拡大図
【図５−７】図５−２のＥ−Ｅ断面図で、（イ）は止水パネルを方立てに取付ける前の状態、（ロ）は止水パネルを取付けた状態
【図６−１】被係止体（突起）の一例を示した模式図
【図６−２】係止体の一例と、被係止体（突起）との関係を示した模式図
【図７】方立ての係止孔と、止水パネルに設けた係止爪との関係を示した模式図
【図８】止水パネルの他の係止体と、方立ての他の被係止体との関係を示した俯瞰図
【図９】止水パネルの別の係止体と、方立ての別の被係止体との関係を示した俯瞰図
【発明を実施するための形態】
【００２４】
以下、本発明の好ましい、一実施例を説明する。
【００２５】
図面において、図１、図２等において、図中１は止水パネル（止水扉）で、例えば、炭素繊維強化プラスチックとか、発泡アルミ、コア等の軽量素材で構成する。この止水パネル１の長手方向Ｘの両面は２、２ａ（以下、対の構造は、一方の符号のみを記す）であって、その端部１ａ、１ｂには、その一方の面２ａ（方立て６に対峙する面２ａ）より突出する、係止突起３ａ（ラッチ）を備えた係止体３と、一つ、又は複数個の係止爪４、５を備える。また、原則として、上から順に、係止突起３ａ、係止爪４、５となっているが、一例である。また、出入口と、開口部に、対で設けられているのが、方立て６、６（以下、対の構造は、一方の符号のみを記す）であり、この方立て６の対峙面（止水パネル１に対峙する面６ａ）には、少なくとも、係止体３と係止爪４、５を差込み支持する（差込み支持、又は、係止受けとなる）、被係止体７（ロックラッチ）、又は係止孔８、９の何れかの係止体受けを有する。
【００２６】
止水パネル１は、図１を始めとして、略全図に関して示されている。そこで、好ましい、各実施例を説明する。但し、説明と図例は、一例であり限定されない（以下、各部品等は同じ）。例えば、炭素繊維強化プラスチックとか、発泡アルミ、コア等の軽量素材で、必要により、枠板を設けて補強する。この止水パネル１の長手方向Ｘにおける端部１ａには、係止体３と、係止爪４、５が、取付けられている。この一例では、係止体３は、止水板１の面２ａ側に取付けられており、また、係止爪４、５がは、その前側と後側に配備したブラケット１１、１２を利用し、止水パネル１の面２ａの内面１ｃに、また、止水パネル１の面２に、それぞれ固定する。例えば、止水パネル１の上端に係止体３が、中段、及び／又は、下段に係止爪４、５がそれぞれ設けられており、前述の如く、係止体３の先端の係止突起３ａと、係止爪４、５の爪片４ａ、５ａが、止水パネル１の面２ａより突出する。この突出した係止体３の先端の係止突起３ａは、方立て６の被係止体７に押圧支持され、また、爪片４ａ、５ａは、係止孔８、９に差込み、かつ壁面、或いは図示しないが棒材等に載架・係止等される。このように、止水パネル１に係止体３、又は係止爪４、５を、それぞれ取付ける構造は、低コスト化、作業・組立て等の合理化、又は材料節約等に有益である。
【００２７】
また、方立て６に関し、図４−１（イ）、（ロ）〜図４−３（イ）、（ロ）に示した、好ましい一例を説明する。図４−１は、既設金物に溶接固定した方立て６、図４−２は、壁面に埋込み固定した方立て６、図４−３は、後面アンカーに固定した方立て６を示しており、本発明の止水パネルの取付け装置はこれら全ての形態に対応可能であり、次のような利点がある。
【００２８】
即ち、：既設金物（既設の敷金物）がある場合、それをそのまま流用することが可能である。：方立て６は、四角柱の形状で、突起（被係止体７）は設けるが、陥没可能であり、何ら邪魔とならない。又はカバー１０を採用し、被嵌する構成とすれば、外観がすっきりする。：緊急時にしか使用しないものなので、使用時以外は人の動線を初めとし、視覚的にも邪魔にならない。：設置は壁面に埋込み固定（壁への埋設）と壁へのアンカー止めの前出しと、どちらにも対応できる。そして、この前出しでも、突出は、例えば、４ｃｍ〜１０ｃｍ程度と少ない（望ましくは、６ｃｍ〜８ｃｍ）。さらに、前出し設置であれば、土木工事をほぼなしで施工ができる（勿論、敷金物は止水性をどれだけ高く見るか客先の判断による）。：止水パネル１は段積みが可能であり、かつ段済みしても、前述の方立て６に関する利点は図れる。
【００２９】
続いて、係止体３と、被係止体７は、擬似的なロックラッチ機構であり、図１〜図９の例では、止水パネル１に設けた突起でなる係止体３と、方立て６に設けた固定か、又は出没自在（図示しない）の突起でなる被係止体７の構造であり、止水パネル１の水密ゴム１５を圧縮し、方立て６の被係止体７の下に、係止体３の係止突起３ａを押し込む。この押し込みを解除することで、水密ゴム１５が復帰し、被係止体７の下に、止水パネル１の係止体３の係止突起３ａが止付けられる構造である。このように止付けられれば、後は、水圧で、止水パネル１は方立て６に押圧される構造である。尚、その他として、図８に示した他の例であり、止水パネル１に設けた鍵形の可動式の係止体３と、方立て６に設けた突起、突条、棒材等の何れかでなる被係止体７とか、図９に示した別の例であり、止水パネル１に設けた係止体３と、方立て６に設けた挟持機構の被係止体７とか、の例でも同様に採用できる。
【００３０】
図８と図９の例では、係止体３と被係止体７の他の取付け手段（ロックラッチ機構）である。
【００３１】
この図８の例は、止水パネル１に係止体３（係止杆：ラッチ機構）を、方立て６に被係止体７（挟持孔付の可動ロックカム：ロックラッチ）を、それぞれ設ける構造である。この一例では、方立て６に係止杆を備えた空胴でなる被係止体７を設ける。挟持、又は挾持開放可能な被係止体７は、方立て６の対峙面（止水パネル１の面２ａに対峙する面６ａ）に設けられ、係止体３の操作具１３を受ける手段である。従って、被係止体７の係止杆を備えた空胴に、操作具１３を差込み支持する。尚、係止体３を、止水パネル１の対峙面に突出する手段として、例えば、可動ワイヤ、その他動作手段とか、その他自動手段等の操作具１３を備えている。この操作具１３の操作で、ロックラッチが可動し、かつ対峙面より突出する構造である。この操作具１３は、望ましくは、止水パネル１の上面２ｂより突出する構造が望ましい。尚、その他の機能と、使用の仕方は、図１〜図７の例に準ずる。
【００３２】
また図９の例は、止水パネル１に係止体３（突起：ラッチ機構）を、方立て６に被係止体７（挟持孔付の可動ロックカム：ロックラッチ）を、それぞれ設ける構造である。この一例は、止水パネル１に差込み係止突起３ａを設ける。挟持、又は挾持開放可能な被係止体７は、方立て６の対峙面に設けられ、係止体３を受ける手段となる。従って、被係止体７の可動ロックカム（ロックラッチ）に、差込み係止突起３ａ（ラッチ）を差込み支持する。尚、ロックラッチを、方立て６の対峙面に突出する手段として、例えば、面６ａに突出するように取付ける構造が望ましい。尚、その他の機能と、使用の仕方は、図１〜図７の例に準ずる。
【００３３】
また、係止爪４、５（原則として、共通するので、係止爪４を主体として説明する）は、図５−４、図５−５に一例が図解されている。即ち、係止爪４は、爪片４ａを備えており、補強体（図示しない）を一側面、及び／又は、両側面に設けてもよい。そして、この係止爪４の面に（止水パネル側の面）には、対のブラケット１１・１１、１２・１２（以下、１１、１１とする）が間隔を置いて、面と直交する方向に設けられる。この対のブラケット１１、１１は、止水パネル１の面２ａの内面１ｃと、面２に取付ける。このように、ブラケット１１、１１のうち一方を、内面１ｃに取付けることで、方立て６に止水パネル１の中間部及び下部が密着して取付け可能となる。尚、ブラケット１２・１２は、板状の本体を直角に折曲げ形成し、ブラケット１２・１２は溶接等で直角に支持する。
【００３４】
前記水密ゴム１５は、例えば、方立て６、及び／又は、止水パネル１の間とか、止水パネル１の下面２ｃ等に設けるが一例であり、その他として、例えば、止水パネル１の他の箇所、又は建物、通路等の床面、その他の箇所に設けることも有り得る。
【００３５】
方立て６には、カバー１０が設けられており、このカバー１０は、方立て６に設けた、被係止体７、及び係止孔８、９を、カバーする。図示しないが、止水パネル１にもカバーを設けることも有り得る。このカバー１０は、方立て６との空間Ｈを保護するため、例えば、端部に折曲げ板部１０ａ〜１０ｃ等を備える。そして、この空間Ｈを確保することで、例えば、方立て６の面６ａより突出する装備品、例えば、被係止体７（衝止突起、衝止ロック部、その他のロック、又はロックラッチ等）を覆うことを可能とする。尚、カバー１０は、図示しないが、被係止体７、及び／又は、係止孔８、９の一部をカバーする例も有り得る。
【００３６】
続いて、止水パネル１を方立て６、６（一方の符号のみを記す）に支持する（取付ける）には、止水パネル１を、原則として、一人で持ち、例えは、水圧方向から（前から）、例えば、方立て６の被係止体７に向かって（この図例では、被係止体７に衝止するようにし）、かつ長孔形態の係止孔８、９の上側を狙って差し入れる（係止爪４、５の爪片４ａ、５ａが、少なくとも、係止部８ａ、９ａを乗り越えることが望ましい）。そのために、僅かであるが、持ち上げる（方立て６より、少し上げる）。係止爪４、５が壁面（孔壁）を乗り越えた後に、止水パネル１を下げる（下側にする）。これにより、係止体３の下側に被係止体７を差入れられ、かつ係止爪４、５の爪片４ａ、５ａが係止部８ａ、９ａに係止（ロック）され、しかも、爪片４ａ、５ａが孔壁に載架される。この止水パネル１の設置が完了し、かつ水密ゴム１５の働きで、方立て６と地面の止水が確保され、かつ方立て６と止水パネル１との水密も確保される。例えば、一人の操作の時には、方立て６の一方側を取付けた後に、他方側を取付ける操作が簡易で、かつ的確に操作できる。
【００３７】
この方法であれは、ハンドル、フック等によるロック操作とか、前述の高い位置までの持ち上げ操作等の厄介で、かつ時間を要する所作がなくなり、有益であることと、利便性が図れる。また、一人での設置が可能である。さらには、ロック操作等に必要とする所作と機材の必要がない。例えば、戸当り金物において、ハンドルの受けが付いたパネルに、ハンドルが付いたタイプでは、パネルへのハンドルの取付けと、設置可能なタイプでは、収納スペース（保管場所）が必要となる。しかし、本発明では、ハンドルの飛び出しもなく、省スペースで設置できることと、ハンドル付きパネルに対して、ハンドル、その他の部品もなく軽量化と、低コスト化が図れる。例えは、ハンドルを無くすことで、一枚の止水パネルにおいて、ハンドルを最低で４個を取付けた場合に比し、少なくとも、２〜３ｋｇの軽量化が図れる。
【００３８】
尚、止水パネル１を取外す場合には、止水パネル１を押下げ、水密ゴム１５を圧縮し、被係止体７による係止体３の衝止を解除し、併せて、止水パネル１を、少し持ち上げ、係止爪４、５と、係止孔８、９の壁面との係止関係を解除する。この操作で、両方の係止関係が解除される。そこで、止水パネル１を手前（水圧方向）に引き寄せて取外す。例えば、一人の操作の時においても、方立て６の一方側を取外すことで、他方側を取外す作業も簡易で、かつ的確に操作できる。また、例えば、ワンタッチで取外し作業が終了する。
【００３９】
前述した各実施例等は、本発明の好ましい一例の説明である。各実施例とか図面に限定されない。従って、発明の趣旨の範囲において構成の一部を変更する構造とか、同じ特徴と効果を達成できる構造、等は、本発明の範疇である。
【００４０】
尚、図示しないが、係止体３と、係止爪４、５を枠体に取付け、この枠体を止水パネル１に取付け、係止体３の先端と、爪片４０１、５０１が、枠体の面から突出する構造も可能である。また、この係止体３と、係止爪４、５を、方立て６に設け、被係止体７及び係止孔８、９を、止水パネル１に配備した、図示しない、枠体に設ける等の、別の構造も可能である。
【符号の説明】
【００４１】
１  止水パネル
１ａ  端部
１ｂ  端部
１ｃ  内面
２  面
２ａ  面
２ｂ  上面
２ｃ  下面
３  係止体
３ａ  係止突起
４  係止爪
４ａ  爪片
５  係止爪
５ａ  係止爪
６  方立て
６ａ  面
７  被係止体
８  係止孔
８ａ  係止部
９  係止孔
９ａ  係止部
１０  カバー
１０ａ〜１０ｃ  折曲げ板部
１１  ブラケット
１２  ブラケット
１３  操作具
１５  水密ゴム
Ｈ  空間
【図１】
2020084566.tif 000003
【図２】
2020084566.tif 000004
【図３−１】
2020084566.tif 000005
【図３−２】
2020084566.tif 000006
【図４−１】
2020084566.tif 000007
【図４−２】
2020084566.tif 000008
【図４−３】
2020084566.tif 000009
【図５−１】
2020084566.tif 000010
【図５−２】
2020084566.tif 000011
【図５−３】
2020084566.tif 000012
【図５−４】
2020084566.tif 000013
【図５−５】
2020084566.tif 000014
【図５−６】
2020084566.tif 000015
【図５−７】
2020084566.tif 000016
【図６−１】
2020084566.tif 000017
【図６−２】
2020084566.tif 000018
【図７】
2020084566.tif 000019
【図８】
2020084566.tif 000020
【図９】
2020084566.tif 000021